(57)【要約】  【課題】  内法寸法誤差を最小限に留め、外郭組立後に取り付ける部材の端部又は裏面に隙間を生じさせることなく、壁パネルを容易に交換することができる柱フレーム台座及び浴室ユニットを提供することを目的とする。  【解決手段】  防水パンの壁パネル載置面に固定される台座と、この台座の上面に設けられ壁パネルを保持する柱フレームを立設する柱フレーム取付部とを備えた柱フレーム台座である。また、周囲に壁パネルを載置するための壁パネル載置面を有した防水パンと、この防水パンに立設させ柱フレームにより保持される壁パネルと、この壁パネル上に配置される天井パネルとを備え、上記柱フレームが、壁パネル載置面に固定される台座と、柱フレームを立設する柱フレーム取付部とを有した柱フレーム台座により防水パンに立設させられる浴室ユニットである。  【選択図】  図６
2006169912.tif 000002
【特許請求の範囲】
【請求項１】
防水パンの壁パネル載置面に固定される台座と、この台座の上面に設けられ壁パネルを保持する柱フレームを立設する柱フレーム取付部とを備えた柱フレーム台座。
【請求項２】
請求項１において、柱フレーム取付部が、台座の上面より上方に延び柱フレームの内側面又は外側面に接する突出片である柱フレーム台座。
【請求項３】
周囲に壁パネルを載置するための壁パネル載置面を有した防水パンと、この防水パンに立設させ柱フレームにより保持される壁パネルと、この壁パネル上に配置される天井パネルとを備え、上記柱フレームが、壁パネル載置面に固定される台座と、柱フレームを立設する柱フレーム取付部とを有した柱フレーム台座により防水パンに立設させられる浴室ユニット。
【請求項４】
請求項３において、台座が、柱フレーム台座を防水パンに固定するビスを通すビス孔を備えた浴室ユニット。
【請求項５】
請求項３において、壁パネル載置面が凸部又は凹部を有し、台座が上記凸部又は凹部に嵌合又は挿入される凹部又は凸部を有している浴室ユニット。
【請求項６】
請求項３乃至５のいずかにおいて、柱フレーム取付部が、台座の上面より上方に延びる複数の突出片である浴室ユニット。
【請求項７】
請求項６において、複数の突出片が、最も防水パンの角部に近い突出片を柱フレームの外側面に当接させ、他の突出片を柱フレームの内側面に当接させる浴室ユニット。
【発明の詳細な説明】
【技術分野】
【０００１】
本発明は、浴室ユニットに関し、特に浴室ユニットを組み立てる際に用いる柱フレーム台座に関する。
【背景技術】
【０００２】
浴室ユニットは、天井、壁、床等のユニット化した部材を施工現場にて組み立てて、浴室を形成するものであり、在来工法よりも施工期間を短縮できることから、広く用いられている。
【０００３】
従来用いられてきた浴室ユニットについて、図面を用いて説明する。図７は浴室ユニット全体の平面図、図８は図７に示す浴室ユニットのＢ−Ｂ断面図、図９は図７に示す浴室ユニットのコーナー部分拡大平面図、図１０は図９に示すコーナー部分のＣ−Ｃ断面図、図１１は柱フレームを防水パンに設置した分解斜視図である。
【０００４】
図７及び図８に示すように、浴室ユニット９は、建築物躯体１１の内部に設置され、床となる防水パン６、天井となる天井パネル８、この天井パネル８を支えると共に壁面を構成する壁パネル４を有している。浴室ユニット９の内部は、防水パン６の片側に浴槽１２を配置し、他方を洗い場１４として用い、この洗い場１４の端部にカウンタ１３を設置している。尚、防水パン６は、ドア１０を設置する間口より搬入されるが、この間口が狭いことを考慮し、浴槽を設置する部分と、洗い場の部分とに分割したものを使用することが多く、間口から搬入した後に設置場所にて２つの防水パンを接続するようにしている。
【０００５】
図９乃至図１１に示すように、防水パン６は、その周囲に水切部立面６ａを有しており、この水切部立面６ａの四隅、及び、隅部間の中央に、柱フレーム２ｂを立設させている。柱フレーム２ｂは、水切部立面６ａに対しビス３により直接固定され、固定された柱フレーム２ｂ間に壁パネル４を挿入する。壁パネル４同士の隙間は、ゴム又は合成樹脂製の目地５ａを挿入して水密性を上げ、天井パネル８と壁パネル４との間の隙間にも目地５ｂ（図８参照）を挿入して水密性を上げている。
【０００６】
図７乃至図１１を用いて説明した浴室ユニットは、柱フレームを用いて組み立てるものであるが、浴室ユニットには、特許文献１に示されるように、防水パンの壁パネル載置面に突起を設け、この突起を利用することで柱フレームを用いることなく、防水パンに対し壁パネルを立設させるものもある。
【特許文献１】実開平５−３２５９６号
【発明の開示】
【発明が解決しようとする課題】
【０００７】
浴室ユニットは、前述したように、防水パン、柱フレーム、壁パネル、天井パネル等の各部品を、設置場所にて組み立てる。そのため、浴室ユニットの内法寸法は、組立時に生じる各部品の取付寸法誤差により、規定寸法とずれが生じ易い。
【０００８】
特に、防水パンは、型を用いて成形されるもので、型から成形された防水パンを抜くために、水切部立面に抜き勾配が設けられており、この水切部立面に直接ビス固定される柱フレームは垂直に立設しづらくなっている。そして、柱フレームが垂直に立設されない場合は、壁パネル同士が直角に連ならず、結果として防水パン、壁パネル、天井パネル等の外郭組立後に取り付ける部材（具体的には浴槽、カウンター等）の端部又は裏面に隙間を生じさせるという問題がある。
【０００９】
隙間が生じる問題は、柱フレーム組付時・壁パネル組付時に、１部材取り付ける毎に直角・平行の確認を行い、微調整をしながら作業を進めることで回避できるが、このような方法は、多くの時間、多大な労力、熟練した施工技術を要するものであり、在来工法に比べ短時間にて設置できることを大きな特徴としている浴室ユニットに用いることはできない。
【００１０】
また、特許文献１に示される浴室ユニットは、柱フレームを使用しないので、外郭組立後に取り付ける部材に対し隙間を生じさせることはないが、壁パネルとこの壁パネルに隣接する壁パネル、及び、壁パネルと防水パンを直接接続させるために、壁パネルを交換する際には、隣接する壁パネル及び天井パネルを取り外す大がかりな工事が必要となってしまう。
【００１１】
本発明は、内法寸法誤差を最小限に留め、外郭組立後に取り付ける部材の端部又は裏面に隙間を生じさせることなく、壁パネルを容易に交換することができる柱フレーム台座及び浴室ユニットを提供することを目的とする。
【課題を解決するための手段】
【００１２】
（１）本発明は、防水パンの壁パネル載置面に固定される台座と、この台座の上面に設けられ壁パネルを保持する柱フレームを立設する柱フレーム取付部とを備えた柱フレーム台座である。
（２）項（１）において、柱フレーム取付部が、台座の上面より上方に延び柱フレームの内側面又は外側面に接する突出片である柱フレーム台座。
（３）また、本発明は、周囲に壁パネルを載置するための壁パネル載置面を有した防水パンと、この防水パンに立設させ柱フレームにより保持される壁パネルと、この壁パネル上に配置される天井パネルとを備え、上記柱フレームが、壁パネル載置面に固定される台座と、柱フレームを立設する柱フレーム取付部とを有した柱フレーム台座により防水パンに立設させられる浴室ユニットである。
（４）項（３）において、台座が、柱フレーム台座を防水パンに固定するビスを通すビス孔を備えた浴室ユニット。
（５）項（３）において、壁パネル載置面が凸部又は凹部を有し、台座が上記凸部又は凹部に嵌合又は挿入される凹部又は凸部を有している浴室ユニット。
（６）項（３）乃至（５）のいずかにおいて、柱フレーム取付部が、台座の上面より上方に延びる複数の突出片である浴室ユニット。
（７）項（６）において、複数の突出片が、最も防水パンの角部に近い突出片を柱フレームの外側面に当接させ、他の突出片を柱フレームの内側面に当接させる浴室ユニット。
【発明の効果】
【００１３】
本発明の柱フレーム台座は、壁パネル載置面に固定されるので、水切部立面の抜き勾配の影響を受けることなく、柱フレームを容易に垂直に立設することができ、台座の上面より上方に延び柱フレームの内側面又は外側面に接する突出片を設ければ、更に容易に柱フレームを立設できると共に、柱フレームを柱フレーム台座に固定しやすい。
【００１４】
本発明の浴室ユニットは、壁パネル載置面に柱フレーム台座を固定することで、柱フレームを容易に垂直に立設することができ、その結果、壁パネル同士が直角に連なり、外郭組立後に取り付ける部材の端部又は裏面に隙間を生じにくい。また、柱フレームを用いて壁パネルを設置するので、天井を取り外すことなく、壁パネルを容易に交換することができる。
【００１５】
台座がビス孔を有している場合は、現地での施工性が向上し、浴室ユニット全体の工期を短縮することができ、壁パネル載置面に凹部又は凸部を設け、台座に設けた凸部又は凹部を嵌合又は挿入する場合には、柱フレームを立設する位置決めが容易にできる。
【００１６】
柱フレーム取付部として、複数の突出片を用いれば、この突出片により柱フレームを仮立ちさせることができるので、柱フレームを柱フレーム取付部に固定する際に、柱フレームを支える必要がなく、一人作業にて行うことができる。また、防水パンの角部に近い突出片を柱フレームの外側面に当接させ、他の突出片を柱フレームの内側面に当接させた場合は、柱フレーム台座の底面積が拡がることにより、柱フレームを仮立ちさせる際により安定させることができると共に、柱フレーム台座と防水パンの角部との間の無効面積を有効活用することができる。
また、柱フレームを取り付ける突出片の内外の隙間を、柱フレームの肉厚とほぼ同じ寸法に設定することにより、柱フレームの仮立ちをより安定して行うことができる。
そして、本願発明の浴室ユニットにおいては、内法寸法誤差を最小限に留め、外郭組立後に取り付ける部材の端部又は裏面に隙間を生じさせることなく、壁パネルを容易に交換することができる
【発明を実施するための最良の形態】
【００１７】
本発明に用いる防水パンは、その周囲に壁パネル載置面を有するものであればよく、浴槽載置場と洗い場とが分割されているものでも、一体になっているものでも、また、３つ以上に分割されたものであってもよい。
壁パネル載置面は、防水パンを設置した状態で水平となり、壁パネルを載せることができればよく、後に説明する柱フレーム台座を固定する位置を決める目印、又は、柱フレーム台座を固定する凸部又は凹部を設けることが好ましい。
また、柱フレーム台座をビスにより固定する場合は、防水パンのビスを打ち込む場所の厚みを、周囲よりも厚く形成することにより、割れ・ヒビの発生を抑えることができる。
【００１８】
本発明に用いる壁パネルは、柱フレームを用いて固定されるものであれば特に限定されるものではなく、具体的には、鋼板製又は合成樹脂製であり、柱フレームに差し込むリブを有しているものを用いることができる。
また、壁パネルは、浴室内となる面に、照明装置、鏡、棚等を設置してもよい。
【００１９】
本発明に用いる天井パネルは、壁パネルにより支えられ、天井を構成するものであれば特に限定されず、平面状、ドーム状、アーチ状等の様々な形状を用いることができ、照明装置、換気扇、暖房装置等を設置することもできる。
【００２０】
本発明に用いる柱フレームは、壁パネルを保持可能なものであれば特に限定されるものではなく、具体的には、金属製であり壁パネルに設けたリブを差し込める開口を有した柱を用いることができる。
【００２１】
本発明に用いる柱フレーム台座は、少なくとも台座と柱フレーム取付部を備えている。
台座と柱フレーム取付部とは、別体であるものを接続・接着したものを使用しても良いが、一体成形したものを使用した方が強度及び信頼性が高く好ましい。
台座は、壁パネル載置面上に固定できるものであれば特に限定されるものでなく、合成樹脂製のもの、金属製のもの等を用いることができる。但し、金属製のものを使用する場合は、ステンレス等の錆の発生がないものか、鉄、アルミ等の錆が発生するものであっても表面に防錆処理を施したものを用いる必要がある。
台座の壁パネル載置面との接触する部分は、接触面積を増加させ、より強固に固定するために平面とすることが好ましく、台座と壁パネル載置面との間に緩衝材等を介して接続することもできる。緩衝材の代わりに、スペーサを介して固定した場合は、柱フレームを立設した後、壁パネルを据え付ける際に、多少のずれが生じても、スペーサを引き抜くことにより柱フレームを可動させ、ずれを吸収することができ、壁パネルを据え付けた後にシリコンコーキングにより固定するようにできる。
尚、スペーサは、台座と壁パネル載置面との間ばかりでなく、台座と柱フレームと間に設けてもよい。
また、台座と壁パネル載置面との接触部分は、互いに平面同士であっても良いが、一方に凸部を設け、他方に凹部を設けることにより嵌め合わせるようにすることで、台座固定位置の位置決めを行え、且つ、台座と防水パンとの接触面積を増やすことができるので、より好ましい。
台座の固定方法は、特に限定されるものではないが、具体的には接着剤又はビスを用いて固定することができ、ビスを用いる場合には、台座に予めビス孔を設けておくことが好ましい。ビス孔は、使用するビスの径とほぼ等しくしておくよりも、多少の自由度があるように大きくしておくことが好ましく、この自由度により仮に壁パネル等の成形精度が低くても対応できる。
【００２２】
柱フレーム取付部は、柱フレームを取り付けることができれば特に限定されるものではなく、具体的には、先に述べた台座の上面より上方に突出した突出片を用いることができる。このような突出片を用いた場合には、突出片の側面と柱フレームとの側面を接触させることでビス止めが容易に行える。
また、突出片を複数、好ましくは３片以上とすることにより、柱フレームを仮立ちさせることができるので、柱フレームの取付作業を一人で行え、より好ましい。突出片の長さは、特に限定されるものではないが、２０ｍｍ〜１００ｍｍが好ましく、２０ｍｍ未満であると、柱フレームを仮立ちさせにくく、１００ｍｍよりも長いと取扱がしづらくなる。
突出片と柱フレームとの接触は、突出片の全てが柱フレームの内側面に当接しても、逆に柱フレームの外側面に当接しても、或いは、突出片の一部が柱フレームの内側面に当接し他が柱フレームの外側面に当接してもよい。
柱フレーム取付部と柱フレームとの固定は、特に限定されるものではないが、複数箇所をビス止めすることが好ましく、接着剤を用いることもできる。
【実施例１】
【００２３】
以下、図面を用いて本発明の実施例について説明する。
図１は、本発明の柱フレーム台座の１実施例を示す斜視図である。本実施例の柱フレーム台座１は、台座１ａと、この台座１ａと一体成形された柱フレーム取付部１ｂとを有している。台座１ａは、平面視略Ｌ字形状をしており、厚み５ｍｍで、下面を平面とし、上面に柱フレーム取付部１ｂを３本突出させている。柱フレーム取付部１ｂの長さ（高さ）は、防水パンの角部に最も近い位置にあるものが４５ｍｍであり、他の２つは同じ長さとして２５ｍｍとしている。尚、最も長い柱フレーム取付部１ｂには、上下に並んだ２つのビス孔１ｃを設けてある。
また、台座１ａの平面視略中央であり３つの柱フレーム取付部１ｂに囲まれた部分には、台座を固定するビスを挿入するビス孔１ｄを設けてある。
【００２４】
図２は、図１に示した柱フレーム台座の固定方法を示す概略斜視図である。柱フレーム台座１は、防水パン６の周囲に設けた壁パネル載置面１５に対し、スペーサ７を介してビス３により固定される。使用したスペーサ７は、金属製で後にスペーサを引き抜く持ち手部７ａと、ビス３により仮固定される環状部７ｂとを備え、環状部７ｂの一部に切欠を設けているので、持ち手部７ａを使用してスペーサ７を引き抜くことができる。また、本実施例にて使用したスペーサ７の厚みは、０．５ｍｍである。
【００２５】
ビス３により柱フレーム台座１を壁パネル載置面１５に固定した後は、柱フレーム２ａを仮立させる。柱フレーム２ａは、表面を亜鉛めっきした鉄を曲げ加工したもので、壁パネルのリブを挿入するための上下に連なる開口２ｃと、仮立させた際に、ビス孔１ｃと重なるビス孔２ｄとを設けてある。
【００２６】
図３は、柱フレームの固定方法を示す概略斜視図である。柱フレーム２ａは、その下端において、柱フレーム取付部１ｂと当接するが、２本の柱フレーム取付部１ｂとは柱フレーム２ａの内側にて接触し、防水パン６の角部に最も近く且つ長い（高い）柱フレーム取付部１ｂとは柱フレーム２ａの外側にて接触している。
柱フレーム２ａの固定は、２本のビス３により行われるが、このビス３は、柱フレーム２ａ側から柱フレーム取付部１ｂに向かって（防水パンの内側から外側に向かって）取り付けるようにしてある。これは、逆向きに取り付けると、ビスの先端が柱フレーム２ａ内に多く侵入し、壁パネルを取り付ける際に作業の妨げになるためである。
ビス３により柱フレーム２ａを柱フレーム取付部１ｂに固定した後は、防水パン６の四隅及び四隅間の辺部分に固定した柱フレーム同士の上部に梁フレームを掛け渡し、その後、スペーサ７を引き抜き、柱フレーム２ａが多少自由に動かせるようにする。
【００２７】
図４は、図３に示す防水パン角部の拡大平面図である。壁パネル４は、鋼板製のものを使用しており、裏面には断熱材４ａとして石膏ボードを貼り付けてある。また、壁パネル４の周囲には、リブ４ｂが設けてあり、このリブ４ｂを柱フレーム２ａの開口２ｃに挿入することで、壁パネル４を柱フレーム２ａに保持させる。
壁パネル４と壁パネル４との間は、目地５ａを埋め込み隙間を埋める。また、壁パネル４と防水パン６との間は、シリコンコーキングにより封水すると共に、スペーサ７（図２又は図３参照）を引き抜いたことにより発生しているがたつきをなくす。
【００２８】
図５は、図４に示すＡ−Ａ断面図である。防水パン６の床面厚みは、３ｍｍであるが、柱フレーム台座１を固定するビス３を打ち込む部分の周囲は、床面厚みを２０ｍｍとし、ビス３を打ち込んでも、防水パン６に割れ・ヒビ等が発生しないようにしている。
【実施例２】
【００２９】
図６は、本発明の別の実施例を示す柱フレーム台座付近の拡大斜視図であり、（ａ）は柱フレーム台座の位置決め、（ｂ）は柱フレーム台座の固定、（ｃ）は柱フレーム台座の固定後を示している。
図６（ａ）〜（ｃ）に示すように、本実施例では、防水パン６の壁パネル載置面１５に、高さ５ｍｍの突起部１５ａを設けており、施工者は、この突起部１５ａに柱フレーム台座１のビス孔１ｄを嵌め合わせることで、柱フレーム台座１の位置決めを容易に行える。
また、このまま使用したのでは、柱フレーム台座１が浮いてしまうので、柱フレーム台座１の浮き押さえとして、キャップ１６を突起部１５ａとビス孔１ｄとの間に挿入する。
本実施例では、容易に柱フレーム台座の位置決めを行えると共に、ビスを用いずにキャップにより台座の固定も行え、施工期間をより短縮することができる。
【図面の簡単な説明】
【００３０】
【図１】本発明の１実施例である柱フレーム台座の斜視図である。
【図２】図１の柱フレーム台座の固定方法を示す概略斜視図である。
【図３】図１の柱フレーム台座の固定方法を示す概略斜視図である。
【図４】図３に示す防水パン角部の拡大平面図である。
【図５】図４に示す防水パン角部のＡ−Ａ断面図である。
【図６】本発明の別の実施例を示す柱フレーム台座付近の拡大斜視図であり、（ａ）は柱フレーム台座の位置決め、（ｂ）は柱フレーム台座の固定、（ｃ）は柱フレーム台座の固定後である。
【図７】従来例を示す浴室ユニット全体の平面図である。
【図８】図７に示す浴室ユニットのＢ−Ｂ断面図である。
【図９】図７に示す浴室ユニットのコーナー部分拡大平面図である。
【図１０】図９に示すコーナー部分のＣ−Ｃ断面図である。
【図１１】従来例を示す柱フレームを防水パンに設置した分解斜視図である。
【符号の説明】
【００３１】
１…柱フレーム台座、１ａ…台座、１ｂ…柱フレーム取付部、１ｃ…ビス孔、１ｄ…ビス孔、２…柱フレーム、２ａ…柱フレーム、２ｂ…柱フレーム、２ｃ…開口、２ｄ…ビス孔、３…ビス、４…壁パネル、４ａ…断熱材、４ｂ…リブ、５…目地、５ａ…目地、５ｂ…目地、６…防水パン、６ａ…水切部立面、７…スペーサ、７ａ…持ち手部、７ｂ…環状部、８…天井パネル、９…浴室ユニット、１０…ドア、１１…建築物躯体、１２…浴槽、１３…カウンタ、１４…洗い場、１５…壁パネル載置面、１５ａ…突起部、１６…キャップ。
【図１】
2006169912.tif 000003
【図２】
2006169912.tif 000004
【図３】
2006169912.tif 000005
【図４】
2006169912.tif 000006
【図５】
2006169912.tif 000007
【図６】
2006169912.tif 000008
【図７】
2006169912.tif 000009
【図８】
2006169912.tif 000010
【図９】
2006169912.tif 000011
【図１０】
2006169912.tif 000012
【図１１】
2006169912.tif 000013